Podtech/llm-jp-corpus-v4-ja_patent huggingface dataset:
(57)【要約】      （修正有）【課題】陰嚢を内股の皮膚に触れさせないように隔離させることを目的とする湿疹防止用サポーターを提供する。【解決手段】ベルト４と、そのベルト４から紐でぶら下げた陰嚢がはいる袋１と、ベルト４と袋１をつなぐ右紐２と、左紐３を備え、右紐２は、一本のゴム紐で、紐前部２１と紐中部２２と紐後部２３からなり、紐前部２１の前端はベルト４の前部に接続し、紐中部２２は、四角柱状又は円柱状の袋１の開口部の右側部と縫い合わせされ、紐後部２３の後端部はベルト４の後部に接続し、左紐３は、一本のゴム紐で、紐前部３１と紐中部３２と紐後部３３からなり、紐前３１の前端はベルト４の前部に接続し、紐中部３２は、四角柱状又は円柱状の袋１の開口部の左側部と縫い合わせされ、紐後部３３の後端部はベルト４の後部に接続したことを特徴とする。【選択図】図１
0003178436.tif 000002
【実用新案登録請求の範囲】
【請求項１】
ベルト４と、そのベルト４から紐でぶら下げた陰嚢がはいる袋１と、ベルト４と袋１をつなぐ右紐２と、左紐３を備えたことを特徴とする湿疹防止用サポーター。
【請求項２】
ベルト４と、そのベルト４から紐でぶら下げた陰嚢がはいる四角柱状又は円柱状の袋１と、ベルト４と袋１をつなぐ右紐２と、左紐３を備え、右紐２は、一本のゴム紐で、紐前部２１と紐中部２２と紐後部２３からなり、紐前部２１の前端はベルト４の前部に接続し、紐中部２２は、袋１の開口部の右側部と縫い合わせされ、紐後部２３の後端部はベルト４の後部に接続し、左紐３は、一本のゴム紐で、紐前部３１と紐中部３２と紐後部３３からなり、紐前３１の前端はベルト４の前部に接続し、紐中部３２は、袋１の開口部の左側部と縫い合わせされ、紐後部３３の後端部はベルト４の後部に接続したことを特徴とする請求項１に記載の湿疹防止用サポーター。
【考案の詳細な説明】
【技術分野】
【０００１】
本考案は陰嚢が入るサポーターに関するものである。
【背景技術】
【０００２】
陰嚢を左右の内股の皮膚に触れさせないようにしたサポーターは無かった。
【先行技術文献】
【特許文献】
【０００３】
【特許文献１】特開２００８−２０８４７７公報
【考案の概要】
【考案が解決しようとする課題】
【０００４】
陰嚢が内股の皮膚に直接当たることによって皮膚が損傷したり、かぶれが生じていた。本考案は陰嚢を内股の皮膚に触れさせないように隔離させることを目的とする。
【課題を解決するための手段】
【０００５】
ベルト４と、そのベルト４から紐でぶら下げた陰嚢がはいる袋１と、ベルト４と袋１をつなぐ右紐２と、左紐３を備えたことを特徴とする湿疹防止用サポーター。
【０００６】
ベルト４と、そのベルト４から紐でぶら下げた陰嚢がはいる四角柱状又は円柱状の袋１と、ベルト４と袋１をつなぐ右紐２と、左紐３を備え、右紐２は、一本のゴム紐で、紐前部２１と紐中部２２と紐後部２３からなり、紐前部２１の前端はベルト４の前部に接続し、紐中部２２は、袋１の開口部の右側部と縫い合わせされ、紐後部２３の後端部はベルト４の後部に接続し、左紐３は、一本のゴム紐で、紐前部３１と紐中部３２と紐後部３３からなり、紐前３１の前端はベルト４の前部に接続し、紐中部３２は、袋１の開口部の左側部と縫い合わせされ、紐後部３３の後端部はベルト４の後部に接続したことを特徴とする湿疹防止用サポーター。
【考案の効果】
【０００７】
本考案の湿疹防止用サポーターでは、陰嚢が隔離され肌に一切触れないため、皮膚の損傷、かぶれ、蒸れがなくなる。これにより違和感等の不快感によるストレスを解消できる。パンツの下に装着してもよいし、単体で着用してもよい。小用時には湿疹防止用サポーターを下ろすことなく小用が足せる。
【図面の簡単な説明】
【０００８】
【図１】本考案湿疹防止用サポーターの構成（正面図）
【図２】本考案湿疹防止用サポーターの構成（側面図）
【考案を実施するための形態】
【０００９】
図１と図２は、本考案湿疹防止用サポーターの構成で、それぞれ、正面図と側面図を示す。
本考案の湿疹防止用サポーターは、ベルト４と、そのベルト４から紐でぶら下げた陰嚢がはいる袋１と、ベルト４と袋１をつなぐ右紐２と、左紐３を備えている。
右紐２は、一本のゴム紐で、紐前部２１と紐中部２２と紐後部２３からなり、紐前部２１の前端はベルト４の前部に接続し、紐中部２２は、四角柱状又は円柱状の袋１の開口部の右側部と縫い合わせされ、紐後部２３の後端部はベルト４の後部に接続する。
左紐３は、一本のゴム紐で、紐前部３１と紐中部３２と紐後部３３からなり、紐前３１の
前端はベルト４の前部に接続し、紐中部３２は、四角柱状又は円柱状の袋１の開口部の左側部と縫い合わせされ、紐後部３３の後端部はベルト４の後部に接続する。
【００１０】
湿疹防止用サポーターを装着するときは、ベルト４と右紐２の間に右足を、ベルト４と左紐３の間に左足を入れて、さらに陰嚢を袋１に入れることで、陰嚢が内股の皮膚に直接接触しないようになるし、陰茎は自然と袋１の前面上に出ている状態となるので、湿疹防止用サポーターの上からブリーフ、パンツ等をはいたまま、小用をたすこともできる。
湿疹防止用サポーターは通常、男性が着用する下着の一番下に着用する（重ねばき）ものと考え、すっきりとフィットした心地を重視したデザインで、違和感を感じることなく心地よくはける。
【符号の説明】
【００１１】
１  袋
２  右紐  
２１  紐前部
２２  紐中部
２３  紐後部
２４  縫い合わせ部
３  左紐  
３１  紐前部
３２  紐中部
３３  紐後部
３４  縫い合わせ部
４  ベルト
５  湿疹防止用サポーター
【図１】
0003178436.tif 000003
【図２】
0003178436.tif 000004
(57)【要約】【課題】ウキ上部付近の釣糸の表面張力の影響を抑え、釣人が魚を誘うために釣糸を引いた際、あるいはウキ上側の釣糸が波風の影響で引っ張られた際にもウキが傾き難く、また、釣糸の挿通孔の距離を短縮してふらつきを抑え、安定する中通しウキを提供することを目的とする。【解決手段】中通しウキ１の上端部から下方向に、縦中心軸からほぼ水平方向側面に開口する凹部２が設けられ、凹部２から下端に至る縦中心軸に釣糸３が通る挿通孔４を備える。凹部２の深さは水面５下となる深さに設定される。【選択図】図１
0003178402.tif 000002
【実用新案登録請求の範囲】
【請求項１】
縦中心軸に釣糸が通る挿通孔を備えたいわゆる中通しウキにおいて、上端部から下方向に向かって、縦中心軸からほぼ水平方向側面に開口する凹部を設けることにより、挿通孔の距離を短縮し、釣糸の上側出口を水面下に没する位置としたことを特徴とする釣用ウキ
【考案の詳細な説明】
【技術分野】
【０００１】
本考案は、釣りに用いられるウキ、特に中通しウキに関するものである。
【背景技術】
【０００２】
図２に示すとおり従来の中通しウキ６は、木材や合成樹脂よりなる卵型あるいは円錐型等の形状で、通常は水面に浮くか沈むかギリギリの状態で使用される。ウキ６の縦中心軸に釣糸３が通る挿通孔４を設けてあり、釣竿から伸びる釣糸はウキ６上部より挿通されその先に釣針が取り付けられる。挿通孔４はウキ６上端から下端まで達し、上側から出る釣糸は水面５上に出ている。
【考案の概要】
【考案が解決しようとする課題】
【０００３】
前記従来の中通しウキでは、ウキ上端から釣糸がでているため、静水状態ではウキ上部付近の釣糸が水面上に出た状態となる。実釣時には波風の影響でウキは上下動し、水没、浮上を繰り返すが、このときウキ上部付近の釣糸も空中→水面→水面下と移動を繰り返すため、表面張力の影響を受けてウキが安定しないという問題があった。
【０００４】
また、従来の中通しウキではウキ上端から釣糸がでているため、釣人が魚を誘うために釣糸を引いた際、あるいはウキ上側の釣糸が波風の影響で引っ張られた際に傾き易く、ふらついて安定しにくいという問題があった。
【０００５】
また、従来の中通しウキでは釣糸が通る挿通孔は上端から下端まで達し、挿通孔の距離が長いので上下から出る釣糸に引っ張られた際にウキがふらつく幅も大きいという問題があり、このことは相当な弊害となっている。
【０００６】
これを解決するため、ウキ上部付近の釣糸の表面張力の影響を抑え、魚を誘うために釣糸を引いた際にも傾き難く、挿通孔の距離を短縮し、ふらつきを抑え安定する中通しウキを提供することを目的とする。
【課題を解決するための手段】
【０００７】
本考案の中通しウキは、釣用仕掛けに使用する中通しウキであって、ウキ上端部から下方向に、縦中心軸からほぼ水平方向側面に開口する凹部が設けられ、凹部から下端に至る縦中心軸に釣糸が通る挿通孔を備える。凹部の深さは水面下となる深さに設定される。
【考案の効果】
【０００８】
本考案による中通しウキは、挿通孔上側から出る釣糸が水没しているため、釣糸が受ける表面張力が抑えられて安定し、また、挿通孔上側から出る釣糸はウキ上端より下方側面にずれたところから出ているため、魚を誘うために釣糸を引いた際にも傾き難く、また、挿通孔の長さが短縮されるので上下で釣糸に引っ張られてふらつく幅も小さくなり、ふらつきが抑えられる。したがって、仕掛けを潮流に乗せて良好に流すことができるし、魚が違和感なく食い付き、大きな釣果を期待できる。
【図面の簡単な説明】
【０００９】
【図１】本考案の実施形態における中通しウキ
【図２】従来の中通しウキ
【図３】片方の側面に切り開いた凹部を設けた本考案の中通しウキ
【図４】両側面に切り開いた凹部を設けた本考案の中通しウキ
【図５】すり鉢状とした凹部を設けた本考案の中通しウキ
【考案を実施するための形態】
【００１０】
以下、本考案の好適な実施の形態について添付図を参照して説明する。
【００１１】
図１は本考案の実施形態における中通しウキ１を示している。ウキ１はその基本構成において、木材もしくは合成樹脂材料を用いて、図示例のように卵型あるいは円錐型等の形状に形成される。なお、これらの形状に限定されるものではなく、その他種々の形状を採用可能である。
【００１２】
この実施形態において、ウキ１の上端部から下方向に、縦中心軸からほぼ水平方向側面に開口する凹部２が設けられ、凹部２から下端に至る縦中心軸に釣糸３が通る挿通孔４を備える。
【００１３】
凹部２の深さは、水面５下となる深さであれば良く、適宜設定することができるが、ウキ縦全長の1/5から1/2とすることが使用上好ましい。
【００１４】
凹部２の形状は適宜設定することができるが、図３のような縦中心軸から片側の側面に切り開いた形状、図４のような縦中心軸から両側面に切り開いた形状、また、縦中心軸から複数の側面に切り開いた形状も可能である。
【００１５】
また、図５のように片側に切り開いた形状で開口部を広げて凹部２をすり鉢状としても、釣糸の動きの自由度があがり操作性が良好である。
【００１６】
挿通孔４は通常、防水対策と、挿通孔と釣糸との摩擦を和らげるため、貫通孔に樹脂や金属のパイプが接着固定された構造であるが、パイプはなくても良い。
【符号の説明】
【００１７】
１  中通しウキ
２  凹部
３  釣糸
４  挿通孔
５  水面
６  従来の中通しウキ
【図１】
0003178402.tif 000003
【図２】
0003178402.tif 000004
【図３】
0003178402.tif 000005
【図４】
0003178402.tif 000006
【図５】
0003178402.tif 000007
(57)【要約】      （修正有）【課題】単２電池外形内に単４電池４本を取り付け保持し並列に繋ぎ、容量不足を補うことができる器具を提供する。【解決手段】保持具を単２電池外形寸法に外形を形成し、側面部を４箇所開口した状況で形成することで、単４電池４本を内包できる空間寸法を形成した外形部２と、それら４本を並列に繋ぐために電池＋面に配置した金具３と、−面を並列に繋ぐために配置したバネ部を形成した金具４とで構成されている。【選択図】図１
0003178443.tif 000002
【実用新案登録請求の範囲】
【請求項１】
単2電池と同様の外形寸法に構成した樹脂本体内に単4電池4本を内包しスプリングを用いて電池を保持する通電性のある金属金具によって単4電池4本を並列に繋ぐことを特徴とする電池保持具。
【考案の詳細な説明】
【技術分野】
【０００１】
本考案は、電池の保持具に関するものである。
【背景技術】
【０００２】
従来、単2電池外形に合わせた大きさの保持具を単4電池一本に設置し、単2電池として、使用するものがあるが、単2電池と比較すると電池の容量が不足しているため、使用可能時間が短い。
【先行技術文献】
【特許文献】
【０００３】
【特許文献１】特許第３０５６０７８号（Ｐ３０５６０７８）
【考案の概要】
【考案が解決しようとする課題】
【０００４】
この考案は、単2電池外形内に単4電池4本を取り付け保持し並列に繋ぎ、容量不足を補うことができる器具を提供することを課題とする。
【課題を解決するための手段】
【０００５】
以上の課題を解決するために、請求項１を特徴とする構成により解決する。
単2電池外形寸法に外形を形成し、側面部を4箇所開口した状況で形成することで、単4電池4本を内包できる空間寸法を形成し、それら4本を並列に繋ぐ。
【考案の効果】
【０００６】
本考案の請求項１によれば、単2電池と同様の外形寸法内に、単4電池を並列に4本を内包し、保持することが出来るため、一本のみ内包できる保持具と比較し電気の容量が増え、より多く使用できるようになった。
【図面の簡単な説明】
【０００７】
【図１】この考案の一実施形態を示す略線的斜視図である。
【図２】他の実施形態を示す略線的斜視図である。
【図３】この考案の一実施形態を示す略線的側面図である。
【考案を実施するための形態】
【０００８】
以下、本考案における好ましい実施例について、添付図面を参照しながら説明する。
図１及び、図２に於いて、１は全体として本考案による保持具を示し、
この保持具を単2電池外形寸法に外形を形成し、側面部を4箇所開口した状況で形成することで、単4電池4本を内包できる空間寸法を形成した外形部２と、それら4本を並列に繋ぐために２の電池＋面に配置した金具３と、−面を並列に繋ぐために配置したバネ部を形成した金具４とで構成されている。
実際上、この保持具１は図２に示すとおり、単4電池を4本内包しても、単2電池外形寸法に外形を形成した外形部２より外形寸法から、はみ出すことがない。
【符号の説明】
【０００９】
１  この考案による電池保持具
２  単2電池外形寸法に形成した外形部
３  4本を並列に繋ぐ電池＋面金具
４  4本を並列に繋ぐバネ部を形成した電池-面金具
【図１】
0003178443.tif 000003
【図２】
0003178443.tif 000004
【図３】
0003178443.tif 000005
(57)【要約】      （修正有）【課題】安全性や生産性を向上させることが可能なジオール化合物を含む球形錠剤を提供する。【解決手段】微粉末状のジオール化合物を３〜５０ｍｍに球形打錠する。【選択図】図１
0003178491.tif 000002
【実用新案登録請求の範囲】
【請求項１】
ジオール化合物を含み、錠剤の直径が３〜５０ｍｍの球形錠剤。
【請求項２】
ジオール化合物を含み、錠剤の直径が３〜３０ｍｍの球形錠剤。
【請求項３】
ジオール化合物を含み、錠剤の直径が３〜１５ｍｍの球形錠剤。
【請求項４】
樹脂用原料として使用することを目的とする請求項１〜３のいずれかに記載の球形錠剤。
【請求項５】
熱可塑性樹脂原料として使用することを目的とする請求項１〜３のいずれかに記載の球形錠剤。
【請求項６】
ジオール化合物が９，９−ビス（４−（２−ヒドロキシエトキシ）フェニル）フルオレンである請求項１〜５のいずれかに記載の球形錠剤。
【請求項７】
ジオール化合物が９，９−ビス（４−ヒドロキシ−３−メチルフェニル）フルオレンである請求項１〜５のいずれかに記載の球形錠剤。
【考案の詳細な説明】
【技術分野】
【０００１】
本考案は、ジオール化合物を錠剤状に成型された錠剤に関する。
【背景技術】
【０００２】
従来から、ポリエステルやポリカーボネート等の樹脂原料として、微粉末状のジオール化合物が使用されている。
ところで、微粉末状のジオール化合物は噴流性があり樹脂生産時の搬送や仕込みの際に取扱い性が非常に悪いこと、飛散し易いために粉塵爆発を起こす危険性があること、嵩比重が小さいために反応釜に仕込む量が小さくなり生産性が悪いこと等の問題点があった。
【先行技術文献】
【特許文献】
【０００３】
【特許文献１】特開２００８−２２２７０８号公報
【特許文献２】特開２０１１−２４１１７９号公報
【考案の概要】
【考案が解決しようとする課題】
【０００４】
微粉末状のジオール化合物は噴流性があり樹脂生産時の搬送や仕込みの際に取扱い性が非常に悪いこと、飛散し易いために粉塵爆発を起こす危険性があること、嵩比重が小さいために反応釜に仕込む量が小さくなり生産性が悪いこと等の問題点があった。
そこで、本考案は、安全性や生産性を向上させることが可能なジオール化合物を含む錠剤を提供することを課題とする。
【課題を解決するための手段】
【０００５】
以上の目的を達成するため、本考案者らは、鋭意研究を重ねた結果、微粉末状のジオール化合物を球形に成型することによって、ジオール化合物の取扱い性及び安全性の向上、樹脂生産において生産性向上ができることを見出した。即ち、本考案は、ジオール化合物を球形錠に成型した錠剤である。
【考案の効果】
【０００６】
以上のように、本考案によれば、樹脂生産における生産性や安全性を向上させることができる。
【図面の簡単な説明】
【０００７】
【図１】本考案に係る実施例１の錠剤の外観図である。
【図２】本考案に係る実施例２の錠剤の外観図である。
【図３】本考案に係る比較例２の錠剤の外観図である。
【考案を実施するための形態】
【０００８】
本考案に係る錠剤において、球形錠とは、どの方向から見ても円形を有する錠剤をいう。
上記錠剤には、刻印、割線があってもなくても良い。
本考案に係る錠剤は、ジオール化合物を８０重量％以上含むことが好ましく、９０重量％以上含むことがより好ましく、９５重量％以上含むことがよりいっそう好ましい。
本考案に係る錠剤は、ジオール化合物を含む微粉末を打錠機にて打錠することにより作ることができる。
【実施例】
【０００９】
以下に実施例および比較例を挙げて本考案を具体的に説明するが、本考案はこれに何ら限定されるものではない。
【００１０】
［実施例１］
９，９−ビス（４−（２−ヒドロキシエトキシ）フェニル）フルオレンを打錠機により球形状に打錠することによって、図１に示すような直径１２．５ｍｍの球形錠剤を得た。該錠剤１００ｇを漏斗を用いて反応容器に仕込んだところ、噴流やブリッジが発生することなく仕込むことができた。
【００１１】
［実施例２］
９，９−ビス（４−ヒドロキシ−３−メチルフェニル）フルオレンを打錠機により球形状に打錠することによって、図２に示すような直径５．０ｍｍの球形錠剤を得た。該錠剤１００ｇを漏斗を用いて反応容器に仕込んだところ、噴流やブリッジが発生することなく仕込むことができた。
【００１２】
［比較例１］
９，９−ビス（４−（２−ヒドロキシエトキシ）フェニル）フルオレン粉体１００ｇを漏斗を用いて反応容器に仕込んだところ、１０ｇ仕込んだところで、ブリッジが発生した。また、噴流性があり取扱い性に乏しかった。
【００１３】
［比較例２］
９，９−ビス（４−（２−ヒドロキシエトキシ）フェニル）フルオレンを打錠機により杵先が真平型でフチが角型の四角柱状に打錠することによって、比較例２に係る角錠剤を得た。該錠剤１００ｇを漏斗を用いて反応容器に仕込んだところ、５０ｇ仕込んだところで、ブリッジが発生した。また、角の削れによる微粉が多く、若干噴流性があった。
【００１４】
【表１】
0003178491.tif 000003
【産業上の利用可能性】
【００１５】
本考案の、９，９−ビス（４−（２−ヒドロキシエトキシ）フェニル）フルオレン錠剤は、樹脂生産における生産性や安全性を向上させることができるため工業原料として有用である。
【図３】
0003178491.tif 000004
【図１】
0003178491.tif 000005
【図２】
0003178491.tif 000006
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
ジオール化合物を含み、錠剤の直径が３〜５０ｍｍの球形錠剤。
【請求項２】
ジオール化合物を含み、錠剤の直径が３〜３０ｍｍの球形錠剤。
【請求項３】
ジオール化合物を含み、錠剤の直径が３〜１５ｍｍの球形錠剤。
【請求項４】
ジオール化合物が９，９−ビス（４−（２−ヒドロキシエトキシ）フェニル）フルオレンである請求項１〜３のいずれかに記載の球形錠剤。
【請求項５】
ジオール化合物が９，９−ビス（４−ヒドロキシ−３−メチルフェニル）フルオレンである請求項１〜３のいずれかに記載の球形錠剤。
(57)【要約】      （修正有）【課題】遮光生地と生地装着用部材を分離交換して使用出来る構成を有したアイマスクを提供する。【解決手段】アイマスクの構成を眼面部に接触する遮光用生地部材と遮光生地安定装着用部材とに分離構成したものとする。遮光生地装着用部材は、安定装着させるために、使用者の左右側頭部から後頭部にかけての半周部位に架かるよう、伸縮性を有する帯状のものを装着する。分離構成の各部材を連結させるため、伸縮性を有する帯の両端に生地を挟む器具を取り付け、分離している遮光生地の両端部を挟み込むことにより、一体構成のアイマスクとした。【選択図】図１
0003178493.tif 000002
【実用新案登録請求の範囲】
【請求項１】
眼面部を覆う遮光用生地部材と、眼面部を覆う遮光用生地を頭部に安定装着させる部材とに分離し、交換できることを特徴とするアイマスク。
【請求項２】
前記遮光用生地部材を安定装着させる部材は、伸縮性を有する帯状であるが、その形状材質、長さは限定せず、安定装着する目的を達せられるものであり、安定装着部材両端部には、分離した遮光生地を挟む器具を設置し、この器具で遮光用生地の両端を挟むことで、一体構成させることを特徴とする請求項１記載のアイマスク。
【考案の詳細な説明】
【技術分野】
【０００１】  本考案は、アイマスクを構成する部品を分離交換して使うことに関する。
【技術背景】
【０００２】  従来のアイマスクは、図２に示すように、顔面両眼部を遮光する生地で覆うもので、その遮光用生地部材を安定装着させるために、紐やゴム紐様の部材を生地部材に連結して一体構成させたものである。
【考案の概要】
【考案が解決しようとする課題】
【０００３】  しかしながら、以上の構成では、遮光する生地が装着するための紐やゴム紐等と一体構成であるため、使い捨て以外の複数回使用時など、常に眼面部に接触する遮光生地部分に、化粧用ファンデーションや汚れが付着したままで、非常に不衛生であった。
そこで、この考案は、遮光生地と生地装着用部材を分離交換して使用出来る構成を課題とした。
【課題を解決するための手段】
【０００４】  以上の課題を解決するために、アイマスクの構成を眼面部に接触する遮光用生地部材と遮光生地安定装着用部材とに分離構成したものとする。遮光生地装着用部材は、安定装着させるために、使用者の左右側頭部から後頭部にかけての半周部位に架かるよう、伸縮性を有する帯状のものを装着する。分離構成の各部材を連結させるため、伸縮性を有する帯の両端に生地を挟む器具を取り付け、分離している遮光生地の両端部を挟み込むことにより、一体構成のアイマスクとした。
【考案の効果】
【０００５】  アイマスクの構成部材である遮光生地と生地装着用部材の分離交換使用による効果は、衛生的且つ外見デザインや機能性の多様化、使用者の趣味嗜好、広告媒体としての普及等高機能化が予想される。
【図面の簡単な説明】
【０００６】
【図１】本考案の実施形態を示す斜視図である。
【図２】従来技術を示す斜視図である。
【考案を実施するための形態】
【０００７】  この考案の実施形態を図１に示す。
１は遮光生地で、眼面部を覆う部材であり、２は生地装着用部材で紐やゴム紐等伸縮性を有するベルト状の帯を左右側頭部から後頭部周りに装着し、分離交換するための各独立部材をもって一体化構成されたアイマスクとしている。３は生地装着用部材のベルト状の帯を遮光生地と連結するため、２の部材両端末に、１の生地部材両端末を挟む器具である。実施にあたりここでの説明や構成、構造および部材、器具は、限定しているものではない。
【符号の説明】
【０００８】  １  遮光生地
２  生地装着用部材
３  連結用器具
【図１】
0003178493.tif 000003
【図２】
0003178493.tif 000004
(57)【要約】【課題】飲むときに大きく傾けなくてもワインがスムースに口内に入るとともに、水平以上に傾けても縁部分が鼻に当たることがなく最後まで飲み干すことが可能なワイングラスを提供する。【解決手段】ボウル２と、ステム３と、プレート４からなるワイングラスであって、ボウル２の下部の一側面に平坦な傾斜面５を形成し、ボウル２の上部の口部には傾斜面５と反対側に向けて下り傾斜の傾斜縁部６を設ける。【選択図】図１
0003178482.tif 000002
【実用新案登録請求の範囲】
【請求項１】
ボウルと、ステムと、プレートからなるワイングラスであって、
前記ボウルの下部の一側面に平坦な傾斜面を形成し、前記ボウルの口部には前記傾斜面と反対側に向けて下り傾斜の傾斜縁部を設けたことを特徴とするワイングラス。
【考案の詳細な説明】
【技術分野】
【０００１】  本考案は、ワイングラスに関するものである。
【背景技術】
【０００２】  一般に、ワイングラスは、ボウル（本体）と、ステム（脚）と、プレート（台）からなっている。ボウルの形状は様々であるが、通常は平面から見ると円形であり、側面は上部が少しすぼまった丸みを持った略球形状のものが多い。そして、ワインを飲むときはステムを親指と他の指ではさんでボウルを傾けながら口にワインを流し込むようにしている。
【考案の概要】
【考案が解決しようとする課題】
【０００３】  従来の略球形のボウルを備えたワイングラスでは、ワインを入れた際、ボウルの下部の丸く膨らんだ部分がワイン溜りとなっているため、ワイングラスを相当に傾けなければワインを上部口から溢れさせることができない。したがって、このワイングラスでワインを飲むときは、ステムを持って手首をひねり、ボウルの上部口が横向きになるようにワイングラスを大きく傾けてワインを口内に流し込む。そして、ワインが残り少なくなると、上部口が少し下向きになるくらいまでワイングラスを大きく傾ける。その際ボウルの上部口の縁部が鼻に当たるのを避けるため、あごを上げて鼻を後方に引いてワインを口内に流し込む必要がある。このように、あごを上げてワインを飲む動作は、姿勢が悪くなり、見た目が美しくなく、周囲の雰囲気も悪くし、特に女性の場合はあごを上げてワインを飲むのは恥ずかしいという思いがあった。【０００３】  さらに、従来のワイングラスでは、香りのテースティングを行う場合、ワイングラスの上部口に顔を近づけて行う必要があり、多種類のワインのテースティングを行うには操作が煩雑になるという不都合があった。【０００４】  本考案は、飲むときにあごを上げることなく、顔をまっすぐにした自然な姿勢で格好良くワインを飲むことができ、かつ傾けることなく略垂直に保ったままの状態で香りのテースティングが可能なワイングラスを提供することを目的とする。
【課題を解決するための手段】
【０００５】  本考案は、ボウルと、ステムと、プレートからなるワイングラスであって、前記ボウルの下部の一側面に平坦な傾斜面を形成し、前記ボウルの上部の口部には前記傾斜面と反対側に向けて下り傾斜の傾斜縁部を設けたものである。
【考案の効果】
【０００６】  本考案によれば、飲むときにあごを上げることなく、顔をまっすぐにした自然な姿勢で格好良くワインを飲むことができ、かつ傾けることなく略垂直に保ったままの状態で香りのテースティングが可能である。
【図面の簡単な説明】
【０００７】
【図１】本考案のワイングラスの側面図である。
【図２】図１のＡ−Ａ線断面図である。
【図３】ワインを飲む状態を示す側面図である。
【考案を実施するための形態】
【０００８】  図１は、本考案のワイングラスの側面図、図２は、図１のＡ−Ａ線断面図、図３は、ワインを飲む状態を示す側面図である。
【０００９】  ワイングラス１は、ボウル（本体）２と、このボウル２の下部に設けたステム（脚）３と、ステム３の下端に儲けたプレート（台）４からなるものである。
【００１０】  ボウル２の一側部に、ステム３の上端からボウル２の上部付近にかけて平坦な傾斜面５を形成している。ボウル２の上部口の縁部には傾斜面５と反対方向に下り傾斜の傾斜縁部６を設けている。ワイン７は、その液面７ａが傾斜面５の途中に位置する程度の量を入れておく。
【００１１】  図３に示すように、ワインを飲むときはステム３を指で挟み、傾斜面５を手前にして手首を回してワイングラス１を少し手前に傾ける。このとき、従来のワイングラスではボウルの下部の膨らみがワイン溜りとなるため、ワインを口内に流すには手首を大きくひねってワイングラスを大きく傾けなければならない。そして、ワインが残り少なくなってくると、あごを上げながらワイングラスを上部口が少し下向きになるくらい大きく傾けて口内に流し込むようにしている。本考案のワイングラス１では、一側面に傾斜面５を形成しているため、ワインが溜まることがなくなり、図３に示すように、手首を軽くひねってワイングラス１を手前に少し傾けるだけでワインがスムースに流れ出る。
【００１２】  そして、ワインが残り少なくなってきた場合は、ワイングラスを水平以上に傾けて口に流し込むが、傾斜縁部６の後部６ａ（口８に当たる部分の反対側）が低くなっているため、ワイングラス１を水平以上に傾けても後部６ａが鼻９に当たることが避けられる。従来のワイングラスでは水平以上に傾けると縁部が鼻に当たってしまい、それを避けるためにはあごを上げなければならならない。このようなあごを上げて飲む動作は、姿勢が悪くなり、見た目も美しくなくなり、特に女性の場合はあごを上げてワインを飲むのは恥ずかしいという問題があるが、本考案のワイングラスでは傾斜縁部６があるため、あごを上げなくても鼻に当たることがなくなり、顔をまっすぐにした自然な状態で手首を軽くひねるだけでかっこうよくワインを飲むことができる。
【００１３】  また、ワインの香りのテースティングを行う場合、図１に示すように、斜め上方に向く口部から香りが鼻９の方向にただよい、傾斜縁部６の低い側を鼻９の下方に近づけるだけで、そのままでテースティングを行うことができる。従来のワイングラスでは顔を前傾させて鼻をワイングラスの上部口の真上に持ってくる必要があるが、本考案のワイングラスで顔を動かすことなくテースティングを行うことができる。
【００１４】  以上のように、本考案のワイングラスでは、ボウル２の一側部に平坦な傾斜面５を形成したことにより、ボウル２の下部にワイン溜まりがなくなるため、飲むときに大きく傾けなくてもワインがスムースに口内に入るとともに、口部に傾斜縁部６を設けたことにより、ワイングラスを水平以上に傾けて口内に流し込むときにあごを上げなくても縁部が鼻に当たることがなくなり、顔をまっすぐにした自然な姿勢のままで最後まで飲み干すことができる。さらに、傾斜縁部６により、口部が斜め上方に向くので、顔は前傾させなくてもそのままで香りのテースティングを行うことができる。
【符号の説明】
【００１５】１  ワイングラス
２  ボウル
３  ステム
４  プレート
５  傾斜面
６  傾斜縁部
【図１】
0003178482.tif 000003
【図２】
0003178482.tif 000004
【図３】
0003178482.tif 000005
(57)【要約】      （修正有）【課題】模型を壁面に展示するためのホルダーであって、模型に加工をせず、模型鑑賞時における視覚的障害が少ない、模型の壁面展示用ホルダーを提供する。【解決手段】ベース１の底面は壁面に固定され、その上面には、ベース１の上面の中心に対し円周方向に規則的な位置に、弾性体３を取り付ける穴型の結合部２が、１２個備えられている。弾性体３はＵ字型に形成されたバネであり、円弧の部分にはすべり止め４を備える。模型５を保持する際、模型鑑賞時の視覚的障害となりにくい場所に、弾性体３、および、すべり止め４が位置するように、ベース１への３個の弾性体３の取り付け位置を決定し、ベース１の結合部２に、弾性体３の先端を挿入することで、３個の弾性体３をベース１に取り付ける。弾性体３で囲まれた内側部分に、弾性体３の弾性と、すべり止め４により模型５を挟み込み、模型５を保持する。【選択図】図１
0003178484.tif 000002
【実用新案登録請求の範囲】
【請求項１】
全体あるいは一部分にすべり止めを備える弾性体がベースの上面に複数取り付けられた、前記弾性体の弾性と前記すべり止めによって模型を挟み込むことで、模型を保持することを特徴とするホルダー。
【請求項２】
前記ベースへの、前記弾性体の取り付け個数および取り付け位置の変更が出来ることを特徴とする請求項１記載のホルダー。
【考案の詳細な説明】
【技術分野】
【０００１】
この考案は、模型を壁面に展示するためのホルダーに関する。
【背景技術】
【０００２】
模型を壁面に展示する場合、壁面に固定された棚の上に模型を設置する、或いは壁面に固定されたケースの内部に模型を設置することが多い。その際、棚或いはケースの床板が模型鑑賞時における視覚的障害となる。また、模型を釘、ねじ等を用いて直接壁に固定する場合には、模型鑑賞時における視覚的障害は少ないが、釘、ねじ等用の穴あけ等の加工を模型に施す必要がある。
【考案の概要】
【考案が解決しようとする課題】
【０００３】
しかしながら、以上の技術によれば、模型に加工をせず、模型鑑賞時における視覚的障害が少ない、模型の壁面展示方法がなかった。
【０００４】
そこで、この考案は、模型に加工をせず、模型鑑賞時における視覚的障害が少ない、模型の壁面展示用ホルダーを提供することを課題とする。
【課題を解決するための手段】
【０００５】
以上の課題を解決するための本考案は、全体あるいは一部分にすべり止めを備える弾性体がベースの上面に複数取り付けられ、前記弾性体の弾性と前記すべり止めによって模型を挟み込むことで、模型を保持することを特徴とする。
【０００６】
以上の課題を解決するための本考案は、更に、前記ベースへの、前記弾性体の取り付け個数および取り付け位置の変更が出来ることを特徴とする。
【考案の効果】
【０００７】
本考案によれば、模型は、複数の弾性体の弾性と、すべり止めによって挟み込まれることで保持されるため、模型への加工を必要としない。
また、模型を保持する際、模型鑑賞時の視覚的障害となりにくい場所に、弾性体と、すべり止めが位置するように、ベースへの弾性体の取り付け個数および取り付け位置を決定することにより、模型鑑賞時における視覚的障害が少ない。
【図面の簡単な説明】
【０００８】
【図１】この考案の一実施形態の概観を示す斜視図である。
【図２】この考案の一実施形態において、ベースの上面および断面を示す図である。
【図３】この考案の一実施形態において、すべり止めを備えた弾性体の一例を示す三面図である。
【考案を実施するための形態】
【０００９】
この考案の一実施形態を、図１に示す。
図１において、壁面展示用ホルダーは、壁面に取り付けられたベース１と、ベース１に取り付けられた、３個の、先端にすべり止め４を備える弾性体３で構成され、弾性体３の弾性と、すべり止め４により模型５を挟み込むことで模型５を保持する。
【００１０】
ベース１の底面は壁面に固定され、図２に示すようにベース１の上面には、ベース１の上面の中心に対し円周方向に規則的な位置に、弾性体３を取り付ける穴型の結合部２が、１２個備えられている。図３に示すように、弾性体３はＵ字型に形成されたバネであり、円弧の部分にはすべり止め４を備える。模型５を保持する際、模型鑑賞時の視覚的障害となりにくい場所に、弾性体３、および、すべり止め４が位置するように、ベース１への３個の弾性体３の取り付け位置を決定し、ベース１の結合部２に、弾性体３の先端を挿入することで、３個の弾性体３をベース１に取り付ける。弾性体３で囲まれた内側部分に、弾性体３の弾性と、すべり止め４により模型５を挟み込み、模型５を保持する。
【００１１】
「実施形態の効果」
これらの実施形態によれば、ホルダーへの模型の脱着が容易である、
ホルダーの構造部品点数が少ないため、ホルダーの生産コストを抑えられる。
「他の実施形態」
図１の実施形態では、弾性体３にすべり止め４が備えられているが、他の実施形態では、弾性体３の素材がゴムなど、すべり止め４の機能を弾性体３が兼ねる場合、弾性体３にすべり止め４を備えなくても良い。
【符号の説明】
【００１２】
１  ベース
２  結合部
３  弾性体
４  すべり止め
５  模型
【図１】
0003178484.tif 000003
【図２】
0003178484.tif 000004
【図３】
0003178484.tif 000005
【手続補正書】
【提出日】平成24年7月16日(2012.7.16)
【手続補正１】
【補正対象書類名】実用新案登録請求の範囲
【補正対象項目名】請求項２
【補正方法】変更
【補正の内容】
【請求項２】
前記ベースの上面に前記弾性体を取り付ける結合部が複数備えられ、前記ベースへの前記弾性体の取り付け個数および取り付け位置の変更が出来ることを特徴とする請求項１記載のホルダー。
【手続補正２】
【補正対象書類名】明細書
【補正対象項目名】０００６
【補正方法】変更
【補正の内容】
【０００６】
以上の課題を解決するための本考案は、更に、前記ベースの上面に前記弾性体を取り付ける結合部が複数備えられ、前記ベースへの前記弾性体の取り付け個数および取り付け位置の変更が出来ることを特徴とする。
(57)【要約】      （修正有）【課題】強風や突風で帽子が飛ばされることを防ぐための飛脱防止用帽子を提供する。【解決手段】帽子本体の内周面に滑り止布帯と、締付バンド６を取付け、締付バンド６の先端部は内周面から外周縁の装飾テープ継目飾部に位置する側に備えた調整具５を通し外周縁に出し、締付と緩めを、その先端部で自在に調節出来ることを特徴とした飛脱防止用帽子であり、更に締付バンド６にピアノ線を長さ方向に沿って取付けると、緩めがスムーズとなる。【選択図】図１
0003178483.tif 000002
【実用新案登録請求の範囲】
【請求項１】
頭部に被さる覆部及びこの覆部の外周縁に形成された庇部とで成した帽子本体と、
この帽子本体の覆部の外周縁との隣接周縁部の全周に亘って備えられると共に、逆目織布にて形成された滑り止め布帯と、
この滑り止め布帯の内周面に対面して位置すると共に、その任意の伸延位置にて前記滑り止め布帯に係止する自在の締付バンドと、
でなしたことを特徴とする飛脱防止用帽子。
【請求項２】
前記締付バンドは、その両端が重畳した状態において、継目飾部にて帽子本体の覆部及び締付バンドを一体に挟持したことを特徴とする請求項１記載の飛脱防止用帽子。  
【請求項３】
前記締付バンドは、外周縁の装飾テープ継ぎ目飾部に締付けと弛緩を自在に調節する調整具を取付けて成したことを特徴とした飛脱防止用帽子。  
【請求項４】
前記締付バンドにピアノ線を全長に沿って取付けたことを特徴とした飛脱防止用帽子。
【考案の詳細な説明】
【技術分野】
【０００１】
本考案は強風や突風により飛ばされない様にした飛脱防止用帽子に関する。
【背景技術】
【０００２】
一般的に帽子は子供用と、紳士用及び婦人用で、フアッシヨン的なデザイン化した既製品を、好みに合せて被り、散歩や山登り等で外出する先に於いて強風や突風にあった時、飛ばされない工夫として、帽子を深く被るか、周縁部にゴム紐を入れ、又は庇部から肩に掛け、紐で連結して防止する程度のものである。
【考案の概要】
【考案が解決しようとする課題】
【０００３】
帽子を被り散歩や山登り等で外出した先に於いて強風や突風にあった時、飛ばされること多々あり、このような際に飛ばされないために、帽子の内周面に滑り止め布帯と、締付バンドを取付け、外周縁の装飾テープ継ぎ目飾部に位置する側に締付と、緩めの調整具を取付ける。
【課題を解決するための手段】
【０００４】
本考案は頭部に被さる覆部及びこの覆部の外周縁に形成された庇部とでなした帽子本体と、
この帽子本体の外周縁との隣接周縁部の全周に亘って備えられると共に、逆目織布にて形成された滑り止め布帯と、
この滑り布帯の内周面に対面して位置すると共に、その任意の伸延位置にて前記滑り止め布帯に係止する自在の締付バンドと、
でなしたことを特徴とする飛脱防止用帽子。
【０００５】
前記締付バンドは、その両端が重畳した状態において、継目飾部に帽子本体の覆部及び締付バンドを一体に挟持したことを特徴とする請求項１記載の飛脱防止用帽子。
【０００６】
前記締付バンドは外周縁の装飾テープ継目飾部に締付と弛緩を自在に調節する調整具を取付けて成したことを特徴とした飛脱防止用帽子。
【０００７】
前記締付バンドにピアノ線を長さ方向に沿って取付けたことを特徴とした飛脱防止用帽子。
【考案の効果】
【０００８】
帽子の内周面に滑り止め布帯を取付けることにより、被る時はスムーズで、締付ける時は締付バンドの先端部を引張ると締まり、飛びにくい状態となる。  但し、締付が緩いと飛ばされることがある。
【図面の簡単な説明】
【０００９】
【図１】帽子の斜視図
【図２】同上の裏面斜視図
【図３】締付バンドの斜視図
【図４】帽子の断面図
【考案を実施するための形態】
【００１０】
以下本考案を実施形態の図面に基づき説明すると、図１は帽子の斜視図であって、頭部に被さる覆部及びこの覆部の外周縁に形成された庇部にて帽子本体を形成している。而して、この帽子本体の外周縁に沿った装飾テープ３の飾部４に位置する側に調整具５を取付け、締付バンドの先端６を引っ張ると締って行く。
【００１１】
図２は帽子本体の裏面斜視図で、内周面に沿って滑り止め布帯７を取付けることにより、帽子を被る時はスムーズで、締付けると簡単には脱げない。              
【００１２】
図３は締付バンドのセンターにピアノ線８を取付けたことにより緩めがスムーズである。
使用順序
【００１３】
本考案の使用順序を説明すると、帽子を被り図１の５の調整具で締付バンドの先端を引っ張り、強弱が自由に調節できると共に、脱ぐ時は締付時同様に調整具で緩めると脱げる。
【符号の説明】
【００１４】
１、  帽子本体の頭部
２、  同  上の庇部
３、  装飾テープ
４、  装飾テープの継目飾部
５、  締付調整具
６、  締付バンド
７、  滑り止め布帯（逆目織布）
８、  ピアノ線
９、  帽子本体の芯部
【図１】
0003178483.tif 000003
【図２】
0003178483.tif 000004
【図３】
0003178483.tif 000005
【図４】
0003178483.tif 000006
【手続補正書】
【提出日】平成24年6月26日(2012.6.26)
【手続補正１】
【補正対象書類名】実用新案登録請求の範囲
【補正対象項目名】全文
【補正方法】変更
【補正の内容】
【実用新案登録請求の範囲】
【請求項１】
「１」頭部に被さる覆部及びこの覆部の外周縁に形成された庇部とで成した帽子本体と、
「２」この帽子本体の覆部の外周縁との隣接周縁部の全周に亘って備えられると  共に、逆目織布にて形成された滑り止め布帯と、
「３」この滑り止め布帯の内周面に対面して位置すると共に、その任意の伸延位置にて前記滑り止め布帯に係止する自在の締付バンドと、
「４」でなしたことを特徴とする飛脱防止用帽子。
【請求項２】
前記締付バンドは、その両端が重畳した状態において、継目飾部にて帽子本体の覆部及び締付バンドを一体に挟持したことを特徴とする請求項１記載の飛脱防止用帽子。
【請求項３】
前記締付バンドは、外周縁の装飾テープ継ぎ目飾部に締付けと弛緩を自在に調節する調整具を取付けて成したことを特徴とする請求項１記載の飛脱防止用帽子。
【請求項４】
前記締付バンドにピアノ線を全長に沿って取付けたことを特徴とする請求項１記載の飛脱防止用帽子。
(57)【要約】      （修正有）【課題】安全性や生産性を向上させることが可能なジオール化合物を含む円形錠剤を提供する。【解決手段】微粉末状のジオール化合物を、直径１０〜５０ｍｍ、最厚部の厚みを３〜３０ｍｍに円形打錠する。【選択図】図１
0003178490.tif 000002
【実用新案登録請求の範囲】
【請求項１】
ジオール化合物を含み、錠剤の直径が１０〜５０ｍｍ、最厚部の厚みが３〜３０ｍｍの円形錠剤。
【請求項２】
ジオール化合物を含み、錠剤の直径が１０〜３０ｍｍ、最厚部の厚みが３〜２０ｍｍの円形錠剤。
【請求項３】
ジオール化合物を含み、錠剤の直径が１０〜１５ｍｍ、最厚部の厚みが３〜１０ｍｍの円形錠剤。
【請求項４】
樹脂用原料として使用することを目的とする請求項１〜３のいずれかに記載の円形錠剤。
【請求項５】
熱可塑性樹脂原料として使用することを目的とする請求項１〜３のいずれかに記載の円形錠剤。
【請求項６】
ジオール化合物が９，９−ビス（４−（２−ヒドロキシエトキシ）フェニル）フルオレンであることを特徴とする請求項１〜５のいずれかに記載の円形錠剤。
【請求項７】
ジオール化合物が９，９−ビス（４−ヒドロキシ−３−メチルフェニル）フルオレンであることを特徴とする請求項１〜５のいずれかに記載の円形錠剤。
【考案の詳細な説明】
【技術分野】
【０００１】
本考案は、ジオール化合物を錠剤状に成型された錠剤に関する。
【背景技術】
【０００２】
従来から、ポリエステルやポリカーボネート等の樹脂原料として、微粉末状のジオール化合物が使用されている。
ところで、微粉末状のジオール化合物は噴流性があり樹脂生産時の搬送や仕込みの際に取扱い性が非常に悪いこと、飛散し易いために粉塵爆発を起こす危険性があること、嵩比重が小さいために反応釜に仕込む量が小さくなり生産性が悪いこと等の問題点があった。
【先行技術文献】
【特許文献】
【０００３】
【特許文献１】特開２００８−２２２７０８号公報
【特許文献２】特開２０１１−２４１１７９号公報
【考案の概要】
【考案が解決しようとする課題】
【０００４】
微粉末状のジオール化合物は噴流性があり樹脂生産時の搬送や仕込みの際に取扱い性が非常に悪いこと、飛散し易いために粉塵爆発を起こす危険性があること、嵩比重が小さいために反応釜に仕込む量が小さくなり生産性が悪いこと等の問題点があった。
そこで、本考案は、安全性や生産性を向上させることが可能なジオール化合物を含む錠剤を提供することを課題とする。
【課題を解決するための手段】
【０００５】
以上の目的を達成するため、本考案者らは、鋭意研究を重ねた結果、微粉末状のジオール化合物を円形に成型することによって、ジオール化合物の取扱い性及び安全性の向上、樹脂生産において生産性向上ができることを見出した。即ち、本考案は、ジオール化合物を円形錠に成型した錠剤である。
【考案の効果】
【０００６】
以上のように、本考案によれば、樹脂生産における生産性や安全性を向上させることができる。
【図面の簡単な説明】
【０００７】
【図１】本考案に係る実施例１の錠剤の外観図である。
【図２】本考案に係る実施例２の錠剤の外観図である。
【図３】本考案に係る比較例２の錠剤の外観図である。
【考案を実施するための形態】
【０００８】
本考案に係る錠剤において、円形錠とは、打錠杵の杵先を打錠面に対して真上から見たときに円形を有する杵を使用して成型される錠剤をいう。具体的には、円板型、碁石型で杵先が曲線状のもの、杵先が多重曲線状のもの、杵先が真平型でフチが丸型のもの、杵先が真平型でフチが角型のもの、杵先が凹型のもの、又は杵先が凸型のものなどがある。
上記錠剤には、刻印、割線があってもなくても良い。
【０００９】
本考案に係る錠剤は、ジオール化合物を８０重量％以上含むことが好ましく、９０重量％以上含むことがより好ましく、９５重量％以上含むことがよりいっそう好ましい。
本考案に係る錠剤の形状は、真平型、碁石型、凸型、凹型など様々な形状に適応できる。例えば、図１に示すように真平型フチ角状に成型することができる。
本考案に係る錠剤は、ジオール化合物を含む微粉末を打錠機にて打錠することにより作ることができる。
【実施例】
【００１０】
以下に実施例および比較例を挙げて本考案を具体的に説明するが、本考案はこれに何ら限定されるものではない。
【００１１】
［実施例１］
９，９−ビス（４−（２−ヒドロキシエトキシ）フェニル）フルオレンを打錠機により碁石型に打錠することによって、図１に示すような直径１２．５ｍｍ、最厚部６．０ｍｍの円形錠剤を得た。該錠剤１００ｇを漏斗を用いて反応容器に仕込んだところ、噴流やブリッジが発生することなく仕込むことができた。
【００１２】
［実施例２］
９，９−ビス（４−ヒドロキシ−３−メチルフェニル）フルオレンを打錠機により杵先が真平型でフチが角型の円柱状に打錠することによって、図１に示すような直径１２．５ｍｍ、最厚部５．０ｍｍの円形錠剤を得た。該錠剤１００ｇを漏斗を用いて反応容器に仕込んだところ、噴流やブリッジが発生することなく仕込むことができた。
【００１３】
［比較例１］
９，９−ビス（４−（２−ヒドロキシエトキシ）フェニル）フルオレンの粉体１００ｇを漏斗を用いて反応容器に仕込んだところ、１０ｇ仕込んだところで、ブリッジが発生した。また、噴流性があり取扱い性に乏しかった。
【００１４】
［比較例２］
９，９−ビス（４−（２−ヒドロキシエトキシ）フェニル）フルオレンを打錠機により杵先が真平型でフチが角型の四角柱状に打錠することによって、図３に示すような１辺１２．５ｍｍ、厚み５．０ｍｍの角錠剤を得た。該錠剤１００ｇを漏斗を用いて反応容器に仕込んだところ、５０ｇ仕込んだところで、ブリッジが発生した。また、角の削れによる微粉が多く、若干噴流性があった。
【００１５】
【表１】
0003178490.tif 000003
【産業上の利用可能性】
【００１６】
本考案の、９，９−ビス（４−（２−ヒドロキシエトキシ）フェニル）フルオレン錠剤は、樹脂生産における生産性や安全性を向上させることができるため工業原料として有用である。
【図１】
0003178490.tif 000004
【図２】
0003178490.tif 000005
【図３】
0003178490.tif 000006
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
ジオール化合物を含み、錠剤の直径が１０〜５０ｍｍ、最厚部の厚みが３〜３０ｍｍの円形錠剤。
【請求項２】
ジオール化合物を含み、錠剤の直径が１０〜３０ｍｍ、最厚部の厚みが３〜２０ｍｍ円形錠剤。
【請求項３】
ジオール化合物を含み、錠剤の直径が１０〜１５ｍｍ、最厚部の厚みが３〜１０ｍｍの円形錠剤。
【請求項４】
ジオール化合物が９，９−ビス（４−（２−ヒドロキシエトキシ）フェニル）フルオレンであることを特徴とする請求項１〜３のいずれかに記載の円形錠剤。
【請求項５】
ジオール化合物が９，９−ビス（４−ヒドロキシ−３−メチルフェニル）フルオレンであることを特徴とする請求項１〜３のいずれかに記載の円形錠剤。
(57)【要約】      （修正有）【課題】農作業紐を簡単に着脱できる止め具を提供する。【解決手段】上から順に間隔をおいて、第１〜第４線状部分を備え、第１及び第２線状部分の右端、第２及び第３線状部分の左端、第３及び第４線状部分の右端をそれぞれ接続する線状部分を備え、各線状部分が一体の部材として構成される。【選択図】図１
0003178164.tif 000002
【実用新案登録請求の範囲】
【請求項１】
0003178164.tif 000004
【請求項２】
0003178164.tif 000005
【請求項３】
１本の紐で障害物として利用できるので、合成樹脂加工された材質である。
【考案の詳細な説明】
【技術分野】
【０００１】  本考案は、農作業紐幅１２ｍｍ厚さ１ｍｍの図▲８▼▲９▼つなぎの役目をしたり１本の紐で、輪を作ったり、紐の長さ調整に  止め具として用いるものです。
また  紐の着脱が簡単にできる金具に関するものである。
【背景技術】
【０００２】  従来は、紐をつなぐ時  輪を作る時には、紐を結んでいたが結び目が少し力を加えて引くと分離し、結びを取りたいときには、取れなくって切断するより他がなかった  また  結び目が、「こぶ」になっているため物に引っかかることや  他の物の障害物になることがあった。
【考案の開示】
【考案が解決しようとする課題】
【０００３】  農業用大小のビニールトンネル押さえとして、紐（幅１２ｍｍ厚さ１ｍｍ）をビニールの外  風等で飛ばされないよう張っていくが、途中紐がなくなり  継ぎ足しするとき  結ぶ以外方法がなかった。
結び方が悪いと、力を加え引くと  抜けてしまう欠点があった。
結び目が障害物になりビニールが下まで降りない時もあった。
【課題を解決するための手段】
【０００４】
0003178164.tif 000003
紐  図▲８▼▲９▼２本重ねにし鉄線の上、下、上、下または、逆にはさんで通す、たるみをとり、引くだけで互いの摩擦により固定される。
【考案の効果】
【０００５】  着脱が簡単で  結んだ時ほどの障害物にならない。
結ぶ時ほどの長さもいらない。
【考案を実施するための最良の形態】
【０００６】  強度のある鉄線  図▲６▼直径２ｍｍ〜３ｍｍを最良とした。なぜなら  径が大固定する力も  強くなるが線が太いと紐を挟んだとき障害物になる時があるから。
線は、被服線のあり  なし  どちらも可。なしの場合多少腐食することにより固定する力は、強くなる
折り曲げた線の間隔  図▲３▼▲４▼▲５▼は、広くなると  固定する力が弱くなる
よって、４ｍｍ〜５ｍｍとした。
線の両端  図▲１▼▲２▼は、角があると  ビニールを破損する事と作業時の安全上  面をとって丸みをつくる。
折り曲げてからの  直線の長さ  図▲７▼は、固定したい紐幅のプラス２ｍｍが最良。
本考案は、以上の構成からなる
作用は、本考案を使用する時  紐を２本重ね  図▲８▼▲９▼にして線の間  図▲３▼▲４▼▲５▼を線が上、下になるよう  挟みこんでから  たるみをとるだけで  互いの  摩擦により紐が  固定されます。
【図面の簡単な説明】
【０００７】
【図１】  本考案の要部拡大  正面図
【図２】  本考案の拡大斜視図
【図３】  本考案の拡大使用図
【符号の説明】  ▲１▼▲２▼線の先端  ▲３▼▲４▼▲５▼紐を挟む間隔箇所  ▲６▼線の直径  ▲７▼紐を挟む線の長さ  ▲８▼帯紐Ａ  ▲９▼帯紐Ｂ
【図１】
0003178164.tif 000006
【図２】
0003178164.tif 000007
【図３】
0003178164.tif 000008
【手続補正書】
【提出日】平成24年6月6日(2012.6.6)
【手続補正１】
【補正対象書類名】実用新案登録請求の範囲
【補正対象項目名】全文
【補正方法】変更
【補正の内容】
【実用新案登録請求の範囲】
【請求項１】
水平方向に長手方向が延在する線状部分が、互いに間隔を隔てて垂直方向に４本存在し、上から順に、第１線状態部分、第２線状態部分、第３線状態部分、第４線状態部分とした場合、第１線状部分の右端と第２線状部分の右端とを接続する線状部分と、第２線状部分の左端と第３線状部分の左端とを接続する線状部分と、第３線状部分の右端と第４線状部分の右端とを接続する線状部分を備え、前記各線状部分が一体の部材として構成されたことを特徴とする止め具。
【請求項２】
前記止め具を鉄で構成したことを特徴とする請求項１記載の止め具。